(57)【要約】【課題】携帯電話機のような高い基本料金を支払うことなく、自宅にかけられた電話に対して外出先で迅速に対応できるようにする。【解決手段】受信専用の無線端末（例えば、ポケットベル（登録商標））５を用いた電話システムとする。センタ２に転送サービスの契約者の加入者電話番号（転送契約者電話番号）と転送先の無線端末５の電話番号（転送先電話番号）とを対応して記憶させる。センタ２は、自宅の電話機１−１への発信要求を受けた場合、発信者の電話番号などの発信者情報を記憶するとともに、電話機１−１の電話番号に対応して登録されている転送先電話番号の無線端末５を呼び出す。無線端末５を携帯している本人は、公衆電話機３からセンタ２へ、自宅の電話番号とパスワードを送る。これを受けて、センタ２２、自宅の電話番号に対応して記憶している発信者情報を公衆電話機３へ送り、表示部３−１に表示する。【選択図】        図１
2004266436.tif 000002
【特許請求の範囲】
【請求項１】
一般加入者電話機と、センタと、この一般加入者電話機とセンタとを接続するネットワークと、前記センタと無線回線によって接続される受信専用の無線端末とを備えた電話システムであって、
前記センタは、
前記一般加入者電話機の加入者のうち前記無線端末への転送サービスの契約者の加入者電話番号を転送契約者電話番号として記憶する転送契約者電話番号記憶手段と、
前記転送契約者電話番号に対応してその転送契約者電話番号への発信要求があった時の転送先電話番号として登録される前記無線端末の電話番号を記憶する転送先電話番号記憶手段と、
前記一般加入者電話機から前記転送契約者電話番号への発信要求があった場合、その転送契約者電話番号に対応する転送先電話番号を前記転送先電話番号記憶手段より読み出し、この読み出した転送先電話番号の無線端末を呼び出す無線端末呼出手段とを備えたことを特徴とする電話システム。
【請求項２】
請求項１に記載された電話システムにおいて、
さらに前記ネットワークに接続された公衆電話機を備え、
前記センタは、
前記一般加入者電話機から前記転送契約者電話番号への発信要求があった場合、少なくともその発信要求元の加入者電話番号を発信者情報とし、その発信者情報を前記発信要求があった転送契約者電話番号と対応づけて記憶する発信者情報記憶手段と、
前記公衆電話機から送られてくるその公衆電話機の利用者の加入者電話番号を含む利用者情報を受けて、その利用者情報に含まれている加入者電話番号を転送契約者電話番号とする発信者情報が前記発信者情報記憶手段に記憶されているか否かを確認し、記憶されていればその発信者情報を前記公衆電話機に返送する発信者情報返送手段とを備えたことを特徴とする電話システム。
【請求項３】
請求項１に記載された電話システムにおいて、
さらに前記ネットワークに接続された公衆電話機を備え、
前記無線端末は、
その無線端末の利用者の少なくとも加入者電話番号を含む利用者情報を記憶する手段を備え、
前記公衆電話機は、
前記無線端末に記憶されている利用者情報を読み出して前記センタへ送る手段を備え、
前記センタは、
前記一般加入者電話機から前記転送契約者電話番号への発信要求があった場合、少なくともその発信要求元の加入者電話番号を発信者情報とし、その発信者情報を前記発信要求があった転送契約者電話番号と対応づけて記憶する発信者情報記憶手段と、
前記公衆電話機から送られてくる前記無線端末から読み出された利用者情報を受けて、その利用者情報に含まれている加入者電話番号を転送契約者電話番号とする発信者情報が前記発信者情報記憶手段に記憶されているか否かを確認し、記憶されていればその発信者情報を前記公衆電話機に返送する発信者情報返送手段とを備えたことを特徴とする電話システム。
【請求項４】
請求項２又は３に記載された電話システムにおいて、
前記センタは、
前記公衆電話機における通話料金をその公衆電話機から送られてくる利用者情報に含まれている加入者電話番号によって特定される契約電話回線の使用料金に振り替える手段を備えたことを特徴とする電話システム。
【請求項５】
請求項１に記載された電話システムにおいて、
前記センタは、
発信要求があった転送契約者電話番号への電話呼出し回数をカウントする手段を備え、
前記無線端末呼出手段は、前記一般加入者電話機から前記転送契約者電話番号への発信要求があった場合、その発信要求があった転送契約者電話番号への電話呼出し回数が所定回数を超えたことを転送の意思が有るとみなして、その転送契約者電話番号に対応する転送先電話番号を前記転送先電話番号記憶手段より読み出し、この読み出した転送先電話番号の無線端末を呼び出すことを特徴とする電話システム。
【発明の詳細な説明】
【０００１】
【発明の属する技術分野】
この発明は、受信専用の無線端末を用いた電話システムに関するものである。
【０００２】
【従来の技術】
従来より、各家庭には電話機（一般加入者電話機）があり、契約電話回線毎に電話番号（加入者電話番号）が割り当てられている。また、街頭には、公衆電話機が設けられている。発信要求に応ずる電話機間の接続は電話局（センタ）において行われる。一般加入者電話機および公衆電話機と電話局とは電話回線網（ネットワーク）によって接続されている。
【０００３】
このような電話システムにおいて、一般加入者電話機はその多くが留守番機能を備えており、外出する際には留守番モードに設定しておくことにより、留守中にかかってきた電話の用件を自動的に録音させることができる。
【０００４】
また、このような電話システムでは、電話局側のサービスとして転送サービスがある。転送サービスを利用すると、自宅にかけられてきた電話を、指定された電話番号の電話機に自動的に転送させることができる（例えば、特許文献１、２参照）。
【０００５】
【特許文献１】
特開昭５９−４４１５６号公報
【特許文献２】
特開昭５６−１３２０５０号公報
【０００６】
【発明が解決しようとする課題】
しかしながら、このような電話システムでは、一般加入者電話機の留守番機能を利用した場合、帰宅するまでは留守中にかかってきた電話の用件を知ることができない。なお、外出先からリモートで電話機に対して用件が録音されているか否かの確認を行うことができる機能を有するものもあるが、用件が録音されているか否か分からない状態で確認するのは面倒である。さらに、確認作業では、用件が一件も録音されていなくても確認のための通話料金を取られるという欠点を含んでいる。
【０００７】
また、電話局側のサービスである転送サービスを利用した場合、転送先の電話機の近くにいないと電話を受けることができない。なお、最近では携帯電話機が普及しており、自宅にかけられてきた電話を携帯電話機に転送するようにすれば、携帯電話機は送受信可能であるので、その携帯電話機から迅速に応答することができる。これにより、転送サービスを利用した場合の問題だけではなく、一般加入者電話機の留守番機能を利用した場合の問題も解決される。しかし、携帯電話機は、基本料金が高い。
【０００８】
本発明はこのような課題を解決するためになされたもので、その目的とするところは、携帯電話機のような高い基本料金を支払うことなく、自宅にかけられた電話に対して外出先で迅速に対応することの可能な電話システムを提供することにある。
【０００９】
【課題を解決するための手段】
このような目的を達成するために本発明は、一般加入者電話機と、センタと、この一般加入者電話機とセンタとを接続するネットワークと、センタと無線回線によって接続される受信専用の無線端末とを備えた電話システムとし、センタに、一般加入者電話機の加入者のうち無線端末への転送サービスの契約者の加入者電話番号を転送契約者電話番号として記憶する転送契約者電話番号記憶手段と、転送契約者電話番号に対応してその転送契約者電話番号への発信要求があった時の転送先電話番号として登録される無線端末の電話番号を記憶する転送先電話番号記憶手段と、一般加入者電話機から転送契約者電話番号への発信要求があった場合、その転送契約者電話番号に対応する転送先電話番号を転送先電話番号記憶手段より読み出し、この読み出した転送先電話番号の無線端末を呼び出す無線端末呼出手段とを設けたものである。
【００１０】
この発明において、センタは、一般加入者電話機から発信要求があると、その発信要求先（呼出し先）の加入者電話番号が転送契約者電話番号（無線端末への転送サービスの契約者の加入者電話番号）として登録されているか否かを確認する。転送契約者電話番号として登録されていれば、その転送契約者電話番号に対応する転送先電話番号を読み出し、この読み出した転送先電話番号の無線端末を呼び出す。これにより、無線端末を携帯している契約者は、自宅に電話があったことを外出先で知ることができる。
受信専用の無線端末としては、無線呼出用携帯受信機として商品化されているポケットベル（登録商標）の使用が可能であり、ポケットベル（登録商標）は携帯電話機に比べて基本料金が格段に安い。
【００１１】
また、本発明は、一般加入者電話機と、公衆電話機と、センタと、この一般加入者電話機および公衆電話機とセンタとを接続するネットワークと、センタと無線回線によって接続される受信専用の無線端末とを備えた電話システムとし、センタに、転送契約者電話番号記憶手段と、転送先電話番号記憶手段と、無線端末呼出手段と、一般加入者電話機から転送契約者電話番号への発信要求があった場合、少なくともその発信要求元の加入者電話番号を発信者情報とし、その発信者情報を発信要求があった転送契約者電話番号と対応づけて記憶する発信者情報記憶手段と、公衆電話機から送られてくるその公衆電話機の利用者の少なくとも加入者電話番号を含む利用者情報を受けて、その利用者情報に含まれている加入者電話番号を転送契約者電話番号とする発信者情報が発信者情報記憶手段に記憶されているか否かを確認し、記憶されていればその発信者情報を公衆電話機に返送する発信者情報返送手段とを設けたものである。
【００１２】
この発明において、センタでは、一般加入者電話機から転送契約者電話番号への発信要求があった場合、少なくともその発信要求元の加入者電話番号を発信者情報とし、その発信者情報を発信要求があった転送契約者電話番号と対応づけて記憶する。発信者情報としては、発信要求元の加入者電話番号の他、着信日時、発信者からのメッセージの有無、発信要求回数（着信回数）などが考えられる。
【００１３】
無線端末の呼び出しによって、自宅に電話があったことを外出先で知った契約者は、最寄りの公衆電話機からセンタへ契約者（公衆電話機の利用者）の加入者電話番号を含む利用者情報（例えば、加入者電話番号とパスワード）を送る。すると、センタでは、その利用情報に含まれている加入者電話番号が転送契約者電話番号として登録されているか否かを確認し、登録されていればその転送契約者電話番号に対応して発信者情報が記憶されているか否かを確認する。発信者情報が記憶されていれば、センタはその発信者情報を公衆電話機に返送する。
【００１４】
これにより、公衆電話機の利用者（無線端末の呼出しを受けた契約者）は、公衆電話機において自宅に電話をかけた相手の加入者電話番号などの発信者情報を得ることができる。例えば、発信者情報として、発信要求元の加入者電話番号、着信日時、発信者からのメッセージの有無、発信要求回数（着信回数）など、発信者に関する詳細かつ大量の情報が公衆電話機の画面上に表示される。
【００１５】
なお、公衆電話機より利用者情報をセンタへ送る場合、その利用者情報を利用者が手入力するようにしてもよいが、無線端末に利用者の加入者電話番号やパスワードを記憶させておき、この無線端末に記憶されている利用者情報を読み出して、公衆電話機からセンタへ自動的に送るようにしてもよい。また、利用者情報は加入者電話番号やパスワードに限られるものではなく、指紋などの生体識別情報としてもよい。
【００１６】
また、本発明では、公衆電話機から発信者に電話をかける場合、センタでは公衆電話機からの利用者情報により、公衆電話機を利用している人の加入者電話番号が分かる。これにより、公衆電話機における通話料金をその加入者電話番号によって特定される契約電話回線の使用料金に振り替えることが可能となる。
【００１７】
また、センタでは、転送契約者電話番号への発信要求があった場合、転送の意思を確認する。例えば、転送契約者電話番号への電話呼出し回数をカウントし、その電話呼出し回数が所定回数以上となった場合に転送の意思が有るとみなす。
この方法では、転送サービスを利用する旨の設定を行っていなくても、電話呼出し回数が所定回数以上となれば自動的に転送サービスが利用される。
【００１８】
【発明の実施の形態】
以下、本発明を図面に基づいて詳細に説明する。図１はこの発明に係る電話システムの一実施の形態を示すシステム構成図である。
【００１９】
同図において、１は一般加入者電話機、２はセンタ（電話局）、３は公衆電話機、４は一般加入者電話機１および公衆電話機３とセンタ２とを接続するネットワーク（電話回線網）、５はセンタ２と無線回線によって接続される受信専用の無線端末である。本実施の形態において、受信専用の無線端末５としては、無線呼出用携帯受信機として商品化されているポケットベル（登録商標）を使用している。ポケットベル（登録商標）は携帯電話機に比べて基本料金が格段に安い。
【００２０】
図２はセンタ２の概略を示すブロック図である。センタ２は、ＣＰＵ２−１と、記憶装置２−２と、回線制御部２−３と、データベース２−４とを備えている。ＣＰＵ２−１は、データベース２−４にアクセスしながら、記憶装置２−２に格納されたプログラムに従って動作する。
【００２１】
記憶装置２−２には、転送情報登録処理プログラムＰＲ１や発信者情報記憶処理プログラムＰＲ２などが格納されている。これらのプログラムは、例えばＣＤ−ＲＯＭなどの記録媒体に記録された状態で提供され、この記録媒体から読み出されて記憶装置２−２にインストールされている。
【００２２】
回線制御部２−３は、ネットワーク４とＣＰＵ２−１との間に位置し、ネットワーク４からの発信要求に応ずる電話機間の接続を行う。
データベース２−４には、転送契約登録テーブルＴＢ１と、発信者情報記憶テーブルＴＢ２と、電話帳登録テーブルＴＢ３とが設けられている。
【００２３】
図３は転送契約登録テーブルＴＢ１の一例であり、そのテーブルを構成する項目として「加入者電話番号情報」、「転送フラグ」、「転送先電話番号情報」を有する。「加入者電話番号情報」には、この電話システムにおいて、無線端末５への転送サービスの契約者の加入者電話番号が転送契約者電話番号として登録されている。「転送フラグ」には、転送サービスの契約者からの指示により、転送サービスを利用する場合には「ｏｎ（有）」というフラグが、転送サービスを利用しない場合には「ｏｆｆ  （無）」というフラグが立てられる。
【００２４】
「転送先電話番号情報」には、転送サービスの契約者からの指示により、転送契約者電話番号に対応づけて、契約者が所持している無線端末５の電話番号が転送先電話番号として登録される。「パスワード」には、転送サービスの利用契約時に転送契約者電話番号と対応して登録されたパスワードが書き込まれている。
この転送契約登録テーブルＴＢ１を記憶するデータベース２−４が本発明の転送契約者電話番号記憶手段および転送先電話番号記憶手段に対応する。
【００２５】
図４は発信者情報記憶テーブルＴＢ２の一例であり、そのテーブルを構成する項目として「着信日」、「着信時刻」、「発信者電話番号」、「メッセージの有無」、「メッセージ記憶エリア」を有する。この発信者情報記憶テーブルＴＢ２は、転送契約登録テーブルＴＢ１に登録されている転送契約者電話番号毎に設けられ、その転送契約者電話番号への発信要求がある毎に各項目に応ずる情報が書き込まれて行く。
【００２６】
図５は電話帳登録テーブルＴＢ３の一例であり、そのテーブルを構成する項目として「電話番号」と「名前」を有している。「電話番号」には、この電話システムを利用する全ての人の加入者電話番号が登録されており、「名前」にはその加入者電話番号を保有する人の名前が登録されている。
【００２７】
〔センタ：転送情報登録処理〕
以下、図６に示すフローチャートを参照しながら、センタ２における転送情報登録処理について説明する。この転送情報登録処理は、記憶装置２−２に格納されている登録処理プログラムＰＲ１に従って、ＣＰＵ２−１が実行する。
【００２８】
〔転送先電話番号の登録〕
先ず、転送先電話番号の登録について説明する。転送先電話番号を登録したい場合、転送サービスの契約者は、自宅の一般加入者電話機１から転送情報登録用のダイヤル発信を行う。ここでは、一般加入者電話機１−１から転送情報登録用のダイヤル発信を行うものとして説明を進める。ＣＰＵ２−１は、この一般加入者電話機１−１からの転送情報登録用のダイヤル発信を受けて、転送情報登録要求有りと判断する（ステップ６０１のＹＥＳ）。
【００２９】
そして、ＣＰＵ２−１は、電話機１−１の加入者電話番号を一時記憶し（ステップ６０２）、その加入者電話番号が転送契約登録テーブルＴＢ１に転送契約者電話番号として登録されているか否かをチェックする（ステップ６０３）。電話機１−１の加入者電話番号が転送契約登録テーブルＴＢ１に転送契約者電話番号として登録されていることを確認すると（ステップ６０３のＹＥＳ）、契約済みと判断し、電話機１−１に転送サービスのガイダンスを送る（ステップ６０４）。
【００３０】
なお、加入者電話番号が転送契約登録テーブルＴＢ１に転送契約者電話番号として登録されていない場合には（ステップ６０３のＮＯ）、未契約と判断し、その旨を電話機１−１に知らせるとともに、回線を開放する（ステップ６１６）。
【００３１】
ＣＰＵ２−１は、電話機１−１に送ったガイダンスによって、転送先電話番号の登録（新規登録・変更）を行うかどうかを確認する（ステップ６０５）。電話機１−１から転送先電話番号の登録を行う旨の知らせを受けると、ＣＰＵ２−１は、転送先電話番号の新規登録を行うのか、変更を行うのかを確認する（ステップ６０６）。
【００３２】
新規登録する場合、転送サービスの契約者は、電話機１−１から新規登録である旨をＣＰＵ２−１に知らせるとともに、登録したい無線端末５の電話番号を転送先電話番号として入力する。ＣＰＵ２−１は、この電話機１−１からの転送先電話番号を受けて（ステップ６０７のＹＥＳ）、この転送先電話番号を電話機１−１の加入者電話番号（転送契約者電話番号）に対応させて転送契約登録テーブルＴＢ１に新規に登録する（ステップ６０８）。
【００３３】
変更する場合、転送サービスの契約者は、電話機１−１から変更である旨をＣＰＵ２−１に知らせるとともに、変更したい無線端末５の電話番号を転送先電話番号として入力する。ＣＰＵ２−１は、この電話機１−１からの転送先電話番号を受けて（ステップ６０９のＹＥＳ）、この転送先電話番号を電話機１−１の加入者電話番号（転送契約者電話番号）に対応させて転送契約登録テーブルＴＢ１に変更登録する（ステップ６１０）。
【００３４】
〔転送サービスの開始の有無の設定〕
ステップ６０８，６１０で転送先電話番号を転送契約登録テーブルＴＢ１に登録した後、ＣＰＵ２−１は、電話機１−１に送ったガイダンスによって、転送サービスの開始の有無を確認する（ステップ６１１）。
【００３５】
ここで、転送サービスを開始する旨の回答が電話機１−１より送られてくると（ステップ６１２）、電話機１−１の加入者電話番号（転送契約者電話番号）に対応する転送契約登録テーブルＴＢ１中の転送フラグを「ｏｎ（有）」とする（ステップ６１３）。
【００３６】
転送サービスを開始しない旨の回答が電話機１−１より送られてくると（ステップ６１４）、電話機１−１の加入者電話番号（転送契約者電話番号）に対応する転送契約登録テーブルＴＢ１中の転送フラグを「ｏｆｆ  （無）」とする（ステップ６１５）。
【００３７】
なお、転送先電話番号の登録を行わない旨の知らせを電話機１−１から受けた場合にも（ステップ６０５の「登録しない」）、上述と同様にして、転送サービスの開始の有無を設定することができる。これにより、転送先電話番号の登録処理には進まずに、外出時に転送サービスを開始させたり、帰宅時に転送サービスを解除したりすることができる。
【００３８】
〔センタ：発信情報記憶処理〕
次に、図７に示すフローチャートを参照しながら、センタ２における発信情報記憶処理について説明する。この発信情報記憶処理は、記憶装置２−２に格納されている発信情報記憶処理プログラムＰＲ２に従って、ＣＰＵ２−１が実行する。
【００３９】
なお、この発信情報記憶処理動作に入る前の前提条件として、電話機１−１を自宅の電話機とし、この電話機１−１の加入者電話番号が転送契約登録テーブルＴＢ１に転送契約者電話番号として登録されており、この転送契約者電話番号に対応して無線端末５−１の電話番号が転送先電話番号として転送契約登録テーブルＴＢ１に登録されているものとする。また、電話機１−１の加入者電話番号（転送契約者電話番号）に対応する転送フラグは「ｏｎ（有）」とされているものとする。また、電話機１−１の使用者は、外出時、無線端末５−１を携帯しているものとする。
【００４０】
ＣＰＵ２−１は、例えば電話機１−２から電話機１−１への発信要求を受けると（ステップ７０１のＹＥＳ）、呼出し先の加入者電話番号が転送契約登録テーブルＴＢ１に転送契約者電話番号として登録されているか否かをチェックする（ステップ７０２）。
【００４１】
この場合、呼出し先である電話機１−１の加入者電話番号（以下、自宅の電話番号と呼ぶ）は転送契約登録テーブルＴＢ１に転送契約者電話番号として登録されているので、ステップ７０２でのＹＥＳに応じてステップ７０３へ進む。なお、電話機１−１の加入者電話番号が転送契約登録テーブルＴＢ１に転送契約者電話番号として登録されていない場合には、転送サービスの契約者ではないと判断し、発信者が要求する呼出し先に対して電話呼出しを行う（ステップ７１１）。
【００４２】
ＣＰＵ２−１は、ステップ７０３において、転送契約登録テーブルＴＢ１における自宅の電話番号（転送契約者電話番号）に対応する転送フラグをチェックする。この場合、転送フラグは「ｏｎ（有）」とされているので、ステップ７０４へ進む。なお、転送フラグが「ｏｆｆ  （無）」とされていた場合には、転送サービスの設定が解除されていると判断し、発信者が要求する呼出し先に対して電話呼出しを行う（ステップ７１１）。
【００４３】
ＣＰＵ２−１は、ステップ７０４において、発信者の確認を行う。この確認は、パスワードによって行い、加入者電話番号とともにパスワードが送られてきた場合、そのパスワードが登録されているパスワードと一致すれば、発信者をその加入者電話番号を保有している本人であると判断する。電話機１−２からの発信者が本人以外の第三者であった場合、パスワードは送られてこない。あるいは、パスワードが送られてきても、そのパスワードは一致しない。この場合、ステップ７０４では本人ではないと判断され、ステップ７０５への処理へと進む。
【００４４】
ＣＰＵ２−１は、ステップ７０５において、転送契約登録テーブルＴＢ１中の自宅の電話番号（転送契約者電話番号）に対応する転送先電話番号の有無をチェックする。この場合、自宅の電話番号に対応する転送先電話番号として、無線端末５−１の電話番号が登録されている。なお、自宅の電話番号に対応して転送先電話番号が登録されていない場合には、無線端末の登録がまだ行われていないと判断し、発信者が要求する呼出し先に対して電話呼出しを行う（ステップ７１１）。
【００４５】
ＣＰＵ２−１は、転送契約登録テーブルＴＢ１中の自宅の電話番号（転送契約者電話番号）に対応して転送先電話番号が登録されていることを確認すると、その転送先電話番号を読み出す（ステップ７０６）。そして、この読み出した転送先電話番号に対してダイヤル発信を行う（ステップ７０７）。これにより、無線端末５−１が呼び出され、自宅への電話があったことが外出先の本人へ通知される。この発信要求から無線端末を呼び出すまでの処理を行う機能が本発明でいう無線端末呼出手段に対応する。
【００４６】
また、ＣＰＵ２−１は、電話機１−２からの発信要求に対して、自動着信応答を行う。この自動着信応答では、発信者に呼出し先の相手が不在であることを伝え、メッセージ（伝言）の入力を促す。これに応えて、発信者がメッセージを入力すれば、そのメッセージの内容を発信者情報記憶テーブルＴＢ２に書き込む。
【００４７】
また、電話機１−２の加入者電話番号を発信者電話番号として、自動着信応答を行った時刻を着信時刻として、自動着信応答を行った日を着信日として発信者情報記憶テーブルＴＢ２に書き込む。また、メッセージの有無についても、発信者情報記憶テーブルＴＢ２に書き込む（ステップ７０８）。
【００４８】
なお、ここでのメッセージは、音声であっても文字情報であってもよい。また、発信者情報として、発信要求回数（着信回数）を書き込むようにしてもよい。この発信者に関する情報を発信者情報テーブルＴＢ２に書き込む処理を行う機能が本発明でいう発信者情報記憶手段に対応する。
【００４９】
そして、ＣＰＵ２−１は、発信者に対して本着信（伝言）について本人に連絡する旨を音声ガイダンスで通知し（ステップ７０９）、電話機１−１と電話機１−２との回線を開放する（ステップ７１０）。
【００５０】
〔公衆電話機：発信者情報確認ならびに電話発信処理〕
図８に公衆電話機３における発信者情報確認ならびに電話発信処理のフローチャートを示す。無線端末５−１が呼び出されると、この無線端末５−１を携帯している外出先の本人は、自宅への電話があったことを知ることができる。なお、この実施の形態において、無線端末５−１は文字表示機能を有さないものとする。すなわち、無線端末５−１では、自宅への電話があったことは知ることができるが、誰から電話がかかってきたかまでは知ることはできない。
【００５１】
無線端末５−１が呼び出された場合、この無線端末５−１を携帯している外出先の本人は、最寄りの公衆電話機３より自宅の電話機１−１に対して電話呼出しを行う（ステップ８０１）。すなわち、公衆電話機３に自宅の電話番号を入力し、ダイヤル発信を行う。この際、自宅の電話番号に続けてパスワードを入力する（ステップ８０２）。
【００５２】
センタ２は、公衆電話機３からの電話機１−１への発信要求を受け、この発信要求に含まれる加入者電話番号とパスワード（利用者情報）を抽出し、パスワードが一致すれば、公衆電話機３からの発信者がその加入者電話番号を保有している本人であると判断する（図７：ステップ７０４のＹＥＳ）。
【００５３】
センタ２は、公衆電話機３からの発信者が本人であることを確認すると、その加入者電話番号（転送契約者電話番号）に対応して発信者情報記憶テーブルＴＢ２に記憶されている発信者情報（着信日、着信時刻、発信者電話番号、メッセージの有無）を公衆電話機３へ送る（図７：ステップ７１２）。
【００５４】
この際、センタ２では、電話帳登録テーブルＴＢ３より発信者電話番号に対応する人の名前（発信者名）を抽出し、この抽出した発信者名を公衆電話機３への発信者情報に付加する。この公衆電話機からの利用者情報を受けて発信者情報を送る処理を行う機能が本発明でいう発信者情報返送手段に対応する。
【００５５】
これにより、公衆電話機３の表示部３−１には、センタ２からの発信者情報が表示される（ステップ８０３）。図９にこのとき表示部３−１に表示される画面（発信者情報表示画面）の一例を示す。この発信者情報表示画面Ｇ１には、「発信者名」、「電話番号」、「着信日」、「着信時刻」、「メッセージの有無」が表示される。この発信者情報は電話機１−１への着信履歴を表している。また、この着信履歴と合わせて、操作ボタンとして発信ボタンＢＴ１と確認終了ボタンＢＴ２が表示される。表示部３−１は、タッチパネルとされており、画面に触れることによって発信者の選択やボタン操作を行うことができる。
【００５６】
外出先の本人は、この公衆電話機３の表示部３−１に表示される発信者情報（着信履歴）を見ることにより、いつ誰から自宅に電話があったのか、メッセージが残されているかどうかなどについて、その詳細な情報を知ることができる。なお、発信要求回数（着信回数）についても発信者情報として表示するようにすれば、発信者が早急に連絡をとりたがっていることなども知ることができる。
【００５７】
ここで、発信者と連絡をとりたい場合には、発信者情報表示画面Ｇ１中の所望の発信者を選択し、発信ボタンＢＴ１を押下する（ステップ８０４のＹＥＳ）。
すると、その選択した発信者への発信要求がセンタ２へ送られ、選択した発信者との間の電話回線がつながる。なお、この際、表示部３−１の画面は、通話料金や通話時間などを示す別の画面に切り替わる。
【００５８】
選択した発信者との通話が終わり、オフフックボタン（図示せず）が押下されると（ステップ８０５のＹＥＳ）、公衆電話機３は表示部３−１に発信者情報表示画面Ｇ１を再表示する（ステップ８０６）。以下、同様にして、発信者情報表示画面Ｇ１において、発信者の選択、発信ボタンＢＴ１の押下を繰り返すことにより、電話番号を直接入力することなく、所望の発信者との連絡を次々にとることが可能となる。
【００５９】
発信者との連絡をとった後、発信者情報表示画面Ｇ１における確認終了ボタンＢＴ２を押下すると（ステップ８０７のＹＥＳ）、表示部３−１の画面が切り替わり、電話使用料金の明細が表示される（ステップ８０８）。ここで、公衆電話機３では、電話使用料金の明細を表示するのみで、その場での徴収は行わない。
【００６０】
〔電話使用料金（通話料金）の振り替え〕
本実施の形態において、公衆電話機３を利用している人は、ステップ８０１，８０２での加入者電話番号とパスワードの入力によってセンタ２において特定されている。センタ２では、その人の契約電話回線の使用料金に、公衆電話機３における通話料金を振り替える。
【００６１】
すなわち、ＣＰＵ２−１は、パスワードとともに送られてきた加入者電話番号に基づき、この加入者電話番号によって契約電話回線を特定し、この特定した契約電話回線の使用料金に公衆電話機３での発信者との間の通話料金を加算する。これにより、現金やテレホンカードなどを持ち合わせていなくても、公衆電話機さえ見つければ即座に発信者との連絡をとることが可能となる。
【００６２】
なお、上述した実施の形態においては、無線端末５は文字表示機能を有さないものとして説明したが、文字表示機能を有する無線端末を用いてもよいことは言うまでもない。本実施の形態では、公衆電話機３の画面に発信者に関する情報を表示するので、文字表示機能を有さない無線端末５を使用することができ、システム全体としてのコストダウンを図ることが可能である。
【００６３】
無線端末５として文字表示機能を有するものを使用すれば、センタ２で記憶した発者電話番号や着信日時などを無線端末５の画面上に表示させ、外出先の本人に直ちに知らせることが可能となる。この場合、公衆電話機３に発信者情報表示画面Ｇ１を表示させなくても、即座に発信者との連絡をとることが可能である。無線端末５として文字表示機能を有するものを使用する場合でも、公衆電話機３に発信者情報表示画面Ｇ１を表示させるようにすれば、より詳細かつ大量の発信者情報を得ることができるし、残されたメッセージを聞くことも可能である。なお、メッセージを聞きたい場合、発信者情報表示画面Ｇ１において「メッセージの有無」の欄の「有り」の部分をタッチし、発信ボタンＢＴ１を押下する。
【００６４】
また、上述した実施の形態においては、外出先の本人に加入者電話番号とパスワードを入力させるようにしたが、無線端末５に加入者電話番号とパスワードを記憶させておき、この加入者電話番号とパスワードを無線端末５から読み出してセンタ２へ送るようにしてもよい。
【００６５】
例えば、無線端末５をＩＣカードタイプとし、このＩＣカードタイプの無線端末５を公衆電話機３のＩＣカードリーダにセットすることによって、公衆電話機３に無線端末５内の加入者電話番号とパスワードを読み取らせ、自動的にセンタ２へ送るようにする。これにより、加入者電話番号とパスワードを入力する手間が省け、利便性が向上する。なお、無線端末５に記憶されている加入者電話番号とパスワードの読み出しは、赤外線を使ったＩｒｄａ（Ｉｎｆｒａｒｅｄ  Ｄａｔａ  Ａｓｓｏｃｉａｔｉｏｎ  ）等のインタフェースを用いて行うようにしてもよい。また、パスワードの代わりに指紋などの生体識別情報を入力するようにしてもよい
【００６６】
また、上述した実施の形態では、転送契約登録テーブルＴＢ１に「転送フラグ」の項目を設け、この「転送フラグ」に転送の意思が有ることを示す「ｏｎ（有）」というフラグを立てるようにしたが、図１０（ａ）に示す転送契約登録テーブルＴＢ１’のように、「転送フラグ」の項目に代えて「呼出し回数」の項目を設け、この「呼出し回数」に所望の呼出し回数を設定するようにしてもよい。
【００６７】
この場合、ＣＰＵ２−１は、発信要求のあった転送契約者電話番号への電話呼出し回数をカウントし、この電話呼出し回数とその転送契約者電話番号に対応して設定されている呼出し回数（設定呼出し回数）とを比較し、電話呼出し回数が設定呼出し回数を超えた場合に、転送の意思が有るとみなし、その転送契約者電話番号に対応する転送先電話番号への発信を行う。これにより、外出に際して一々、電話機１−１からセンタ２に対して転送フラグの設定を行う必要がなくなる。また、帰宅時に、転送フラグを元に戻す必要もない。
【００６８】
また、図１０（ｂ）に示す転送契約登録テーブルＴＢ１”のように、「転送フラグ」と「呼出し回数」とを組み合わせてもよい。この場合、ＣＰＵ２−１は、転送フラグが「ｏｎ（有）」とされている転送契約者電話番号への発信要求に対しては、直ちに転送の意思が有るとみなし、その転送契約者電話番号に対応する転送先電話番号への発信を行う。これに対し、転送フラグが「ｏｆｆ  （無）」とされている転送契約者電話番号への発信要求に対しては、相手先への呼出しを行い、その呼出し回数が設定呼出し回数以上となった場合に、転送の意思が有るとみなし、その転送契約者電話番号に対応する転送先電話番号への発信を行う。
【００６９】
なお、上述した実施の形態においては、１つの例としてアナログ回線網を用いた電話システムとしたが、ＩＰ電話網を用いた電話システムとしてもよい。これに伴い、実施の形態における「ダイヤル発信」，「回線閉結」，「回線開放」などは、「ＩＰアドレスの送信」，「接続開始」，「接続終了」にそれぞれ置き換えられる。
【００７０】
【発明の効果】
以上説明したことから明らかなように本発明によれば、受信専用の無線端末を用いた電話システムとし、一般加入者電話機から転送サービスの契約者の加入者電話番号（転送契約者電話番号）への発信要求があった場合、発信要求のあった転送契約者電話番号に対応して登録されている転送先電話番号（受信専用の無線端末の電話番号）の無線端末を呼び出すようにしたので、携帯電話機のような高い基本料金を支払うことなく、自宅にかけられた電話に対して外出先で迅速に対応することが可能となる。
【００７１】
また、無線端末が呼び出された場合、公衆電話機より利用者の加入者電話番号を含む利用者情報をセンタへ送り、センタからその利用者情報に含まれる加入者電話番号に対応して記憶されている発信者情報を公衆電話機へ返送することにより、公衆電話機の画面上で発信者に関する詳細かつ大量の情報を得ることが可能となる。また、文字表示機能のない無線端末の使用も可能となり、システムのコストダウンを図ることができる。また、公衆電話機の画面上での選択により、電話番号を入力することなく、簡単に、発信者に電話をかけるようにすることも可能となる。
【００７２】
また、無線端末にその無線端末の利用者の加入者電話番号を含む利用者情報を記憶させておき、この加入者電話番号を含む情報を無線端末から読み出してセンタへ送るようにすることにより、公衆電話機に加入者電話番号やパスワードを手入力する手間が省け、利便性が向上する。
また、公衆電話機における通話料金をその公衆電話機から送られてくる利用者情報に含まれている加入者電話番号によって特定される契約電話回線の使用料金に振り替えることにより、、現金やテレホンカードなどを持ち合わせていなくても、公衆電話機さえ見つければ即座に発信者との連絡をとることが可能となる。
また、転送の意思が有ることを発信要求があった転送契約者電話番号への所定回数を超える電話呼出しにより確認することにより、一般加入者電話機からセンタに対して転送する旨の設定や解除を一々行う必要がなくなる。
【図面の簡単な説明】
【図１】本発明に係る電話システムの一実施の形態を示すシステム構成図である。
【図２】この電話システムにおけるセンタの概略を示すブロック図である。
【図３】センタのデータベースに設けられる転送送契約登録テーブルの一例を示す図である。
【図４】センタのデータベースに設けられる発信者情報記憶テーブルの一例を示す図である。
【図５】センタのデータベースに設けられる電話帳登録テーブルの一例を示す図である。
【図６】センタにおける転送情報登録処理を示すフローチャートである。
【図７】センタにおける発信情報記憶処理を示すフローチャートである。
【図８】公衆電話機における発信者情報確認ならびに電話発信処理を示すフローチャートである。
【図９】公衆電話機の表示部に表示される発信者情報表示画面の一例を示す図である。
【図１０】転送契約登録テーブルの他の例を示す図である。
【符号の説明】
１（１−１，１−２）…一般加入者電話機、２…センタ、２−１…ＣＰＵ、２−２…記憶装置、２−３…回線制御部、２−４…データベース、３…公衆電話機、３−１…表示部、４…ネットワーク（電話回線網）、５（５−１〜５−ｎ）…無線端末、ＴＢ１，ＴＢ１’，ＴＢ１”…転送契約登録テーブル、ＴＢ２…発信者情報記憶テーブル、ＴＢ３…電話帳登録テーブル、ＰＲ１…転送情報登録処理プログラム、ＰＲ２…発信者情報記憶処理プログラム、Ｇ１…発信者情報表示画面、ＢＴ１…発信ボタン、ＢＴ２…確認終了ボタン。
【図１】
2004266436.tif 000003
【図２】
2004266436.tif 000004
【図３】
2004266436.tif 000005
【図４】
2004266436.tif 000006
【図５】
2004266436.tif 000007
【図６】
2004266436.tif 000008
【図７】
2004266436.tif 000009
【図８】
2004266436.tif 000010
【図９】
2004266436.tif 000011
【図１０】
2004266436.tif 000012